(57)【要約】【課題】谷瓦の傾斜辺のカット形状を工夫することで、１種類の谷瓦で複数の屋根勾配に対応して瓦葺きできるようにすると共に、軒下から見たときの見栄えがよい谷瓦を提案する。【解決手段】屋根勾配が３．５寸勾配から６寸勾配の範囲内の屋根に形成される谷を葺くプレカットの谷瓦であって、プレカットした谷瓦の軒先側先端部に、先端側がプレカットの切断線より内側に曲がり込むように切欠した切欠先端部を形成した。そして、上記プレカットした谷瓦は、屋根勾配が５寸勾配に対応するカット角度でプレカットした。【選択図】図１
2015045206.tif 000002
【特許請求の範囲】
【請求項１】
屋根勾配が３．５寸勾配から６寸勾配の範囲内の屋根に形成される谷を葺くプレカットの谷瓦であって、プレカットした谷瓦の軒先側先端部に、先端側がプレカットの切断線より内側に曲がり込むように切欠した切欠先端部を形成したことを特徴とする谷瓦。
【請求項２】
プレカットした谷瓦が、屋根勾配が５寸勾配に対応するカット角度でプレカットした谷瓦である請求項１記載の谷瓦。
【請求項３】
切欠先端部は、谷瓦の軒先側先端部を上記プレカットのカット角度より１３度から１６度大きい角度でさらに切欠して形成した請求項２記載の谷瓦。
【発明の詳細な説明】
【技術分野】
【０００１】
この発明は、寄せ棟屋根などにおいて、２つの屋根が鍵形に交差する部分に形成される谷部分を施工する場合に用いるプレカットした谷瓦に関する。
【背景技術】
【０００２】
従来、寄せ棟屋根を瓦葺きする場合、谷部分では軒先に対して所定の角度を形成しているので、瓦の片側を所定の幅及び角度で切断した瓦を用いて瓦葺きする。この場合、従来は屋根上の現場で瓦の切断作業をしており、このような作業は、職人の技術力によるところが大きく、個々の職人の技術力の差によって、余計な時間がかかったり、歩留まりが悪くなったりしていた。また、グラインダーによる切断作業では、多くの粉塵が発生し、近隣に多大な迷惑をかける要因となり、さらに、作業員の健康被害や現場の汚損も問題となっていた。また、切断片が残るので、現場で多くの廃材が出て、その処理に関する問題もあった。
【０００３】
このような問題を解決するため、前もって工場で所定の寸法に切断した瓦を用いて瓦葺きするプレカット工法が提案されている。しかしながら、従来のプレカット工法は、例えば、瓦葺きの途中で葺き終いの谷瓦の切断寸法を算出し、工場でプレカットするものであったから、個々の工事毎に切断寸法の算出やプレカットの工程が必要であり、なお多大な手間を要するものであった。
【０００４】
このような従来の課題のもと、本出願人は、特許文献１に示すような新たなプレカット瓦を提案している。このプレカット瓦は、切断幅の異なる複数種類のプレカット瓦を複数段に配置したときに繰り返し可能な単位モジュールを形成するように、谷芯が軒先と形成する角度と規格瓦の働き幅から瓦の長さを決定し、この働き長さの値と千鳥葺きする瓦の配置位置からそれぞれの瓦の切断幅を決定し、それらの瓦の角部を事前に工場で上記切断幅だけ切断するようにしたものである。具体的には、谷芯が軒先と形成する角度を有し、水平幅が瓦の働き幅の２．５倍、垂直高さが瓦の働き幅の３倍の直角三角形を仮想して単位モジュールの大きさとし、単位モジュールのプレカット瓦の種類が５種類で、配置段数が３段となるようにしたものである。
【０００５】
また、特許文献２では、施工する屋根勾配が０．４０〜０．６０の範囲内に設定される瓦屋根において棟から軒先に向けて傾斜した谷を、所定の基準屋根勾配に対応するサイズの谷瓦を使用して形成する瓦葺き方法であって、施工する屋根勾配に対応して予め設定した桟木間ピッチを選択することにより、その屋根勾配が所定の基準屋根勾配と異なる場合でも、所定の谷幅員を実質的に保持することができる谷を含む瓦葺き方法が開示され、その中で、傾斜辺の傾斜角度が予め設定された１種類の谷瓦を使用することが記載されている。
【先行技術文献】
【特許文献】
【０００６】
【特許文献１】特開２００８−１２７７８６号公報
【特許文献２】特開２００９−５２２６２号公報
【発明の概要】
【発明が解決しようとする課題】
【０００７】
しかしながら、特許文献１に開示されたプレカット瓦は、屋根の勾配に応じて単位モジュールの大きさを決定し、それに従って５種類の瓦の切断幅を決定し、これに応じて瓦を加工する必要があったので、なお多くの手間を要するものであった。また、多種類の瓦を用意することに変わりはないから、製造コストや在庫コストがかかり、あまり利用されていないのが現状である。
【０００８】
また、特許文献２の瓦葺き方法で開示された谷瓦は、屋根勾配０．４〜０．６の範囲内において、所定の桟木間ピッチを採用することで、屋根勾配０．４を基準としたサイズ１種類の谷瓦を使用できるという利点があるが、一連の谷瓦の傾斜辺が表すラインは、ある程度のジグザグ形状となるものであった。特に屋根勾配が０．６の場合には、そのラインの振幅幅が大きくなり、景観上、好ましいものではなかった。
【０００９】
本発明は、かかる従来の問題点に鑑みなされたもので、谷瓦の傾斜辺のカット形状を工夫することで、１種類の谷瓦で複数の屋根勾配に対応して瓦葺きできるようにすると共に、軒下から見たときの見栄えがよい谷瓦を提案することを目的としている。
【課題を解決するための手段】
【００１０】
上記課題を解決するため、本発明は、屋根勾配が３．５寸勾配から６寸勾配の範囲内の屋根に形成される谷を葺くプレカットの谷瓦であって、プレカットした谷瓦の軒先側先端部に、先端側がプレカットの切断線より内側に曲がり込むように切欠した切欠先端部を形成するという手段を採用した。
【００１１】
このように、切欠先端部を形成することで、その曲がり込みによって谷瓦の切断線が形成する線が僅かな凹凸の繰り返しで形成され、谷芯とのずれを吸収し、外観上違和感を生じない。
【００１２】
そして、上記プレカットした谷瓦は、屋根勾配が５寸勾配に対応するカット角度でプレカットするという手段を採用した。なお、このカット角度とは、プレカットした傾斜辺が瓦の垂直側辺と形成する角度をいうものとする。
【００１３】
カット角度を、屋根勾配が５寸勾配に対応するカット角度とすることで、屋根勾配が５寸勾配と異なる屋根を葺く場合でも、前後に幅を持たせて、切断線と谷芯とのずれを吸収できる。
【００１４】
また、上記切欠先端部は、谷瓦の軒先側先端部を上記プレカットのカット角度より１３度から１６度大きい角度でさらに切欠するという手段を採用した。
【発明の効果】
【００１５】
上記構成に係る本発明の谷瓦は、プレカットした谷瓦の軒先側先端部に、先端側がプレカットの切断線より内側に曲がり込むように切欠した切欠先端部を形成したことで、切断線と谷芯とのずれを吸収でき、３．５寸勾配から６寸勾配という広範囲な屋根勾配の屋根の谷を葺くことに利用可能となるものである。そのため、屋根勾配に拘わらず、準備する谷瓦は、本発明に係る谷瓦の一種類で良く、プレカットの手間が大幅に改善できる。さらに、切断時の粉塵による現場の汚損や作業員の健康被害を軽減することができる。
【００１６】
特に、屋根勾配が５寸勾配に対応するカット角度でプレカットした谷瓦を利用する場合、谷芯とのずれ幅が比較的小さくなるので、３．５寸勾配から６寸勾配という広範囲な屋根勾配の屋根の谷を葺くことに利用可能となる。
【００１７】
また、従来のように、屋根勾配に応じて複数種類の谷瓦を用意する必要がないから、在庫の維持や保管スペースの確保なども改善できる。
【００１８】
そして、吹き上がった屋根の谷は、屋根勾配の如何にかかわらず違和感なく仕上がり、軒下から見たときの見栄えがよい。
【図面の簡単な説明】
【００１９】
【図１】本発明に係る谷瓦の平面図である。
【図２】本発明の谷瓦を使用して５寸勾配の屋根を葺く例を示すものである。
【図３】３．５寸勾配の屋根を葺く例を示すものである
【図４】４寸勾配の屋根を葺く例を示すものである
【図５】４．５寸勾配の屋根を葺く例を示すものである。
【図６】５．５寸勾配の屋根を葺く例を示すものである。
【図７】６寸勾配の屋根を葺く場合を示すものである。
【発明を実施するための形態】
【００２０】
以下、本発明に係る谷瓦の好ましい実施形態を図面に従って説明する。図１は、ＪＩＳ規格に規定されるＦ形瓦（平板瓦）を例に、これを所定の切断線でプレカットしたものである。通常、プレカット瓦の切断線のカット角度（プレカットした傾斜辺が瓦の垂直側辺と形成する角度をいう。以下同じ。）は、屋根勾配によって決定される。本発明では５寸（５．０／１０）勾配の屋根を基準として、その屋根勾配により決定されるカット角度ｔ（例えば、ｔ＝４１．８度）の切断線で規格瓦１をプレカット２することとしている。これにより、この谷瓦を使用して５寸勾配の屋根を葺いたとき、上記切断線が形成する谷瓦の切断面と屋根の谷芯とは互いに平行になる（図２参照。）。
【００２１】
本発明では、このプレカット瓦１において、その軒先側の先端部を、先端側がプレカットの切断線より内側に曲がり込むように切欠して切欠先端部３を形成した。即ち、上記カット角度（ｔ）よりさらに大きい角度（ｔ＋α）で切欠して切欠先端部３を形成した（例えば、ｔ＝４１．８度に対して、ｔ＋α＝５６．４度）。これにより、谷瓦の切欠先端部３は、常に既成のプレカットの切断線（谷芯と平行）より少しだけ内側に曲がり込んで位置することになる。なお、角度（α）は、谷瓦の働き長さの設定によって異なってくるが、１３度から１６度の範囲であることが好ましい。
【００２２】
このように、谷瓦に切欠先端部３を形成することで、屋根勾配を５寸勾配以外に変更した場合に、既存のプレカットの切断線と谷芯の間隔が平行でなくなった場合であっても、下述するように、その僅かなずれを吸収し、外観上はほとんど違和感のない外観を得ることができるようになった。
【００２３】
次に、具体的に、上記構成の谷瓦を使用して各種勾配を有する屋根を葺く例を、図２〜図７に示す。各図において、（Ａ）は本発明の谷瓦を使用した場合、（Ｂ）は５寸勾配用にプレカットした従来の谷瓦をそのまま使用した場合を示している。
【００２４】
図２は、５寸勾配の屋根を葺く例を示すもので、働き長さを２７９．５ｍｍにしたものである。この場合、従来の谷瓦では、同図（Ｂ）に示すように、プレカットの切断線は谷芯と平行である。これにより、美麗な外観で葺き上げることができる。一方、本発明の谷瓦によれば、上述したように、５寸勾配の屋根を基準に構成しているので、同図（Ａ）に示すように、プレカットの切断線は基本的には谷芯と平行であるが、一段下の谷瓦と重なる先端部は、切欠先端部を有しているので、一段下の谷瓦の右側端部より少し内側に切欠先端部が曲がり込み、該部に小さな三角形状の凹部が形成されることになる。従って、各谷瓦の切断面が形成する線は、規則的にこの凹部を有する線を形成することになる。しかしながら、この部分を軒下から見たときは、凹部が一段下の谷瓦の切断面で隠されるので、凹部の存在は目立たない。そのため、違和感のない外観となり、従来の谷瓦を使用した場合とほとんど変わらないのである。
【００２５】
図３は、３．５寸勾配の屋根を葺く例を示すもので、働き長さを２６６ｍｍとしたものである。この場合、従来の５寸勾配用の谷瓦で３．５寸勾配の屋根を葺くと、同図（Ｂ）に示すように、プレカットの切断線は、谷芯と平行ではなく、軒先側（下側）が谷芯側に僅かに近づく。これにより、谷瓦の先端部は、一段下の谷瓦の切断面より少し外側に突出することになり、著しく美感に欠けるものとなる。一方、本発明の谷瓦によれば、切欠先端部が僅かに内側に曲がり込んでいるので、同図（Ａ）に示すように、切欠先端部の最先端が一段下の谷瓦の切断面の延長上に位置することになり、鋭角的な突出は生じない。即ち、谷瓦の切断面は、切欠先端部の曲がり込みの部分が規則的に僅かに突出する部分を形成することになるが、その突出は僅かであり、この部分を軒下から見たときは、突出部分がほとんど目立たず、違和感のない外観を有する。
【００２６】
図４は、４寸勾配の屋根を葺く例を例を示すもので、働き長さを２６９．２５ｍｍとしたものである。この場合、従来の５寸勾配用の谷瓦で４寸勾配の屋根を葺くと、同図（Ｂ）に示すように、プレカットの切断線は、谷芯と平行ではなく、軒先側（下側）が谷芯側に僅かに近づく。これにより、谷瓦の先端部は、一段下の谷瓦の切断面より少し外側に突出することになる。この突出は、上記３．５寸勾配の時よりは少ないが、なお美感を欠くものである。一方、本発明の谷瓦によれば、切欠先端部が僅かに内側に曲がり込んでいるので、同図（Ａ）に示すように、切欠先端部の最先端が一段下の谷瓦の切断面の延長上より僅かに内側に位置することになり、突出は生じない。即ち、谷瓦の切断面は、切欠先端部の曲がり込みの部分で僅かに突出する部分と内側に入り込んだ部分を規則的に繰り返すように形成することになるが、その突出や曲がり込みはそれぞれ僅かであり、この部分を軒下から見たときは、突出部分がほとんど目立たず、違和感のない外観を有する。
【００２７】
図５は、４．５寸勾配の屋根を葺く例を例を示すもので、働き長さを２７４．２５ｍｍとしたものである。この例は、上述した４寸勾配の例より、より５寸勾配の屋根に近づくので、同図（Ｂ）に示すように、上述した突出がやや減り、曲がり込みはやや多くなる。そのため、この部分を軒下から見たときは、突出部分がほとんど目立たず、違和感のない外観を有する。
【００２８】
図６は、５．５寸勾配の屋根を葺く例を例を示すもので、働き長さを２８５．２５ｍｍとしたものである。この場合、従来の５寸勾配用の谷瓦で５．５寸勾配の屋根を葺くと、同図（Ｂ）に示すように、プレカットの切断線は、谷芯と平行ではなく、尾根側（上側）が谷芯側に僅かに近づく。これにより、谷瓦の先端部は、一段下の谷瓦の切断面の延長線上より少し内側に入り込むことになる。一方、本発明の谷瓦によれば、切欠先端部が僅かに内側に曲がり込んでいるので、同図（Ａ）に示すように、切欠先端部の最先端が一段下の谷瓦の切断面の延長上より内側に位置することになる。即ち、上記５寸勾配の場合と同様に、一段下の谷瓦と重なる先端部は、切欠先端部を有しているので、一段下の谷瓦の右側端部より内側に切欠先端部が曲がり込み、該部に小さな三角形状の凹部が形成されることになる。従って、各谷瓦の切断面が形成する線は、規則的にこの凹部を有する線を形成することになる。しかしながら、この部分を軒下から見たときは、凹部が一段下の谷瓦の切断面で隠されるので、違和感のない外観となり、従来の谷瓦を使用した場合とほとんど変わらないのである。
【００２９】
図７は、６寸勾配の屋根を葺く例を例を示すもので、働き長さを２９１．５ｍｍとしたものである。この例では、切欠先端部の曲がり込みが、上記５．５寸勾配より大きくなるものの、この部分を軒下から見たときは、凹部が一段下の谷瓦の切断面で隠されるので、違和感のない外観となり、従来の谷瓦を使用した場合とほとんど変わらないのである。
【００３０】
上記各例から明らかなように、本発明の谷瓦のように切欠先端部を設けることで、屋根勾配を変更した場合に、既存のプレカットの切断線と谷芯の間隔が平行でなくなった場合であっても、その切欠先端部の曲がり込みが僅かなずれを吸収し、外観上はほとんど違和感のない外観を得ることができるのである。この場合、各屋根勾配に応じて最適な働き長さを採用することで、谷芯とのずれを最小限に調節することが可能である。
【００３１】
なお、上例では、３．５寸勾配から６寸勾配までの屋根について例示したが、３．５寸勾配より小さい勾配、又は、６寸勾配より大きい勾配の屋根では、切断線と谷芯とのずれが大きくなるため、現実的ではない。
【００３２】
また、上例では、屋根勾配として５寸勾配の屋根を基準として、そのカット角度でプレカットした谷瓦を基本とし、これが最も好ましいが、４寸勾配から５寸勾配の範囲内の谷瓦を基準とすることもある。
【００３３】
また、上例では、谷芯の左側に使用する谷瓦について説明したが、谷芯より右側を葺く谷瓦は、左右対称の形状を有するものであればよいことはいうまでもない。
【符号の説明】
【００３４】
１    プレカット瓦
２    プレカット
３    切欠先端部
【図１】
2015045206.tif 000003
【図２】
2015045206.tif 000004
【図３】
2015045206.tif 000005
【図４】
2015045206.tif 000006
【図５】
2015045206.tif 000007
【図６】
2015045206.tif 000008
【図７】
2015045206.tif 000009